(57)【特許請求の範囲】
【請求項１】
上部に被充電機器を嵌入するための開口が形成され、その開口内部に充電端子を設けて、前記充電端子に開口に嵌入された被充電機器の電極を圧接するために、前記開口壁と被充電機器との隙間に嵌入される充電スタンド用スペーサーにおいて、
上記スペーサーを、スペーサー片本体とアダプター片とで構成し、前記スペーサー片本体とアダプター片の一方に、開口に嵌入される上下方向に対して対称な凹部を形成し、その凹部と嵌合する嵌入部を他方に設けてスペーサ片本体にアダプター片を１８０°回転させても着脱自在に取り付けられるようにするとともに、前記嵌入部よりも短く形成した複数の突部を上下方向に非対称にスペーサ片本体かアダプター片のいずれか一方に形成し、他方に前記突部と嵌合する切欠を設けた充電スタンド用スペーサー。
【請求項２】
上記凹部に複数の突起を上下方向に非対称に設け、その突起の嵌まる嵌入穴を嵌入部の凹部に対向するの対向面に設けた請求項１に記載の充電スタンド用スペーサー。
【発明の詳細な説明】
【０００１】
【発明の属する利用分野】
この発明は、筐体サイズの異なった被充電機器を充電できるようにするための充電スタンド用スペーサーに関するものである。
【０００２】
【従来の技術】
近年、ハンディタイプの電子機器、例えば、携帯無線機や携帯電話などの携帯機器では、軽便にするため充電池を内蔵しており、この充電池への充電には、多くの場合、充電スタンドを使用している。
【０００３】
充電スタンドは、例えば図１の本願の実施形態の充電スタンド１のように、上部に被充電機器２を嵌入するための開口３を形成し、その開口３内部に充電端子４を設けて、前記充電端子４に開口３に嵌入した被充電機器２の電極が圧接するようにして、充電できるようにしている。
【０００４】
ところが、このような構造だと、充電スタンド１の開口３は、被充電機器２の筐体とピッタリ一致するようにしておかないと、充電端子４と被充電機器２の電極とを圧接できない。そのため、筐体サイズの異なる被充電機器２ごとに、そのサイズにあわせた開口３を形成した充電スタンド１を準備する必要がある。
【０００５】
これを解決する一つの方法として、スペーサーを用いる方法がある。
【０００６】
すなわち、この方法は、厚さの違うスペーサーを準備して、これらのスペーサーを充電スタンド１の開口３と被充電機器２の筐体サイズとが異なってできる隙間に嵌入することにより、充電端子４に被充電機器２の電極を圧接できるようにして準備する充電スタンド１の数を少なくしようとするものである。
【０００７】
【発明が解決しようとする課題】
しかしながら、上記のようにスペーサーを用いる方法では、多数の筐体サイズの異なる被充電機器の形状に対応させるためには、複数枚のスペーサーを準備しなければならず、また、このようにすると、準備した複数枚のスペーサーから被充電機器のサイズに合致したスペーサーを選んで充電スタンドに添付するための管理に手間がかかる。
【０００８】
このため、準備したスペーサーを全て同包することも考えられるが、そのようにしても使われるのは１枚だけなので、残りのものは無駄になるという問題がある。
【０００９】
そこで、この発明の課題は、少ないスペーサー数で、多機種に対応することができるようにして管理の手間を省くと同時に、無駄も省けるようにすることである。
【００１０】
【課題を解決するための手段】
上記の課題を解決するため、この発明では、上部に被充電機器を嵌入するための開口が形成され、その開口内部に充電端子を設けて、前記充電端子に開口に嵌入された被充電機器の電極を圧接するために、前記開口壁と被充電機器との隙間に嵌入される充電スタンド用スペーサーにおいて、上記スペーサーを、スペーサー片本体とアダプター片とで構成し、前記スペーサー片本体とアダプター片の一方に、開口に嵌入される上下方向に対して対称な凹部を形成し、その凹部と嵌合する嵌入部を他方に設けてスペーサ片本体にアダプター片を１８０°回転させても着脱自在に取り付けられるようにするとともに、前記嵌入部よりも短く形成した複数の突部を上下方向に非対称にスペーサ片本体かアダプター片のいずれか一方に形成し、他方に前記突部と嵌合する切欠を設けた構成を採用したのである。
【００１１】
このような構成を採用したことにより、スペーサー片本体とアダプター片とは、凹部に嵌入部を嵌合することで取り付けることができ、このとき、スペーサ片本体かアダプター片のいずれか一方に形成した突部は、他方に設けた切欠と嵌合する。このようにすると、アダプター片を取り付けた分だけ厚みを厚くすることができる。また、このとき、スペーサー片本体に、アダプター片を１８０°回転させて取り付けると、突部と切欠との位置を上下方向に非対称に設けたことにより、両者の位置がずれるので、突部の分だけ下駄を履いた状態となり、さらに、厚みを増すことができる。
【００１２】
すなわち、スペーサー片本体とアダプター片の２ピース構成とすることにより、まず、スペーサー片本体のみをスペーサーとして使うことができる。次に、スペーサー片本体にアダプター片を取り付けてスペーサーとして使うことができる。さらに、そのアダプター片を１８０°回転させてスペーサー片本体に取り付けて使うこともできるので、厚みの違う３種類のスペーサーとして使用できる。
【００１３】
また、このとき、上記凹部に複数の突起を上下方向に非対称に設け、その突起の嵌まる嵌入穴を嵌入部の凹部に対向する対向面に設けた構成を採用することができる。
【００１４】
このような構成を採用することにより、凹部の突起に嵌入部の対向面の嵌入穴を嵌めるようにすれば、凹部に嵌入部を嵌入してスペーサー片本体とアダプター片とを取り付けることができる。
【００１５】
また、アダプター片を１８０°回転させると、突起と嵌入穴とが一致しなくなり、突起は嵌入部の対向面に当接して嵌入部を支持するので、凹部に嵌入部を嵌入してスペーサー片本体とアダプター片とを取り付けた際に、スペーサーの強度を向上させることができる。
【００１６】
【発明の実施の形態】
以下、この発明の実施の形態を図面に基づいて説明する。
【００１７】
図１に、本願の充電スタンド用スペーサーを用いた携帯（ハンディ）無線器用充電スタンド１を示す。
【００１８】
充電スタンド用スペーサーは、図２に示すように、スペーサー片本体１０とアダプター片１１の２ピース構成となっている。
【００１９】
スペーサー片本体１０は、携帯無線器の筐体形状に合わせて外周に沿って壁部１２を形成し（上下の壁部端を湾曲させてある）、その両側に充電スタンド（溝２０）との係合用の突片１９を設けた構造となっている。
【００２０】
また、壁部１２は、アダプター片１１との嵌合用の凹部１３を形成するために設けたもので、その壁部１２の両側にテーパ状に形成した押圧部１４を設け、この押圧部１４を無線機本体に当接するようにしてスペーサーとして働くようになっている。
【００２１】
さらに、この押圧部１４には、突部１６を設けてアダプター片１１を取り付けた際に、スペーサーの厚みを変えられるようになっている。
【００２２】
すなわち、突部１６は、片側の押圧部１４に３箇所ずつ合計６箇所設けてあり、両側に３箇所ずつ設けられた突部１６は等間隔に設けずに、上下方向に対して非対称に設けてある。このとき、突部１６は中央のものを大きくして、後述するようにアダプター片１１を支持した際に、支持が安定してできるようにしてある。
【００２３】
また、壁部１２によって形成された凹部１３には、その内部に複数の突起１５が設けられている。突起１５は、壁部１２よりも低いもので、Ｔ字型をしており、左右に２個ずつ全部で４箇所設けてある。このとき、上方の突起１５の上端からの距離と下方の突起１５の下端からの距離は等間隔に設けずに、上下方向に対して非対称になるように設けてある。
【００２４】
この突起１５の設けられた凹部１３には、切欠１７が四箇所、上下方向に対称に設けられており、この切欠１７は、後述するように、アダプター片１１の爪部材１８と係合するようになっている。
【００２５】
一方、アダプター片１１は、図２のように、嵌入部２１の両側に圧接部２２を設けた構造となっている。
【００２６】
嵌入部２１は、スペーサー片本体１０の凹部１３に嵌合するように部材を突設させたもので、スペーサー片本体１０の凹部１３との対向面には、嵌入穴２３が設けられている。嵌入穴２３は、対向面に４箇所設けられており、スペーサー片本体１０の凹部１３の４箇所の突起１５とアダプター片１１をａの状態で嵌合できるように設けられており、上下方向に非対称になっている。
【００２７】
圧接部２２は、スペーサー片本体１０の押圧部１４に重なるようにテーパ状に形成したテーパ部２４とそのテーパ部２４から水平に設けた当接部２５とで構成されており、当接部２５には切欠２６が形成されている。
【００２８】
この切欠２６は、アダプター片１１をａの状態にして、スペーサー片本体１０の押圧部１４に設けられた突部１６と、それぞれ、嵌合するように形成してある。
【００２９】
また、当接部２５には、図２のように、係合用の爪部材１８が設けられており、スペーサー片本体１０の切欠１７と係合（後述するように、アダプター片１１を１８０°回転させても）できるようになっている。
【００３０】
この形態は、以上のように構成されており、スペーサー片本体１０にアダプター片１１を図２のａの状態で取り付けると、図３（ａ）に示すように、スペーサー片本体１０の押圧部１４に形成された突部１６が、アダプター片１１の圧接部２２の切欠２６に嵌入する。このとき、スペーサー片本体１０の凹部１３の突起１５は、凹部１３と対向するアダプター片１１の対向面の嵌入穴２３に嵌り、アダプター片１１の嵌入部２１がスペーサー片本体１０の凹部１３に嵌入し、爪部材１８はスペーサー片本体１０の切欠１７と係合する。そのため、アダプター片１１は図３の（ａ）のように突出しないが、スペーサー片本体１０の押圧部１４にアダプター片１１の圧接部２２が重なった状態となり、その分だけ厚みを増すことができる。
【００３１】
また、スペーサー片本体１０に、アダプター片１１を１８０°回転させた図２のｂの状態で取り付けると、図３（ｂ）に示すように、スペーサー片本体１０の押圧部１４に形成された突部１６が、アダプター片１１の圧接部２４の当接部２５と当接する。そのため、アダプター片１１はスペーサー片本体１０に形成された突部１６の分だけ突出した状態でアダプター片１１の嵌入部２１がスペーサー片本体１０の凹部１３に嵌り、アダプター片１１の爪部材１８は、スペーサー片本体１０の切欠１７と係合する。このとき、スペーサー片本体１０の凹部１３の突起１５は、凹部１３と対向するアダプター片１１の対向面に当接し、当接した対向面を支持して無線機の筐体に圧接した際の強度を増す。そのため、アダプター片１１の圧接部２２は、図３（ａ）のものに比べ、スペーサー片本体１０の突部１６の分だけ厚みを増すことができる。このように、アダプター片１１を用いると、厚みを二通りに変えることができる。
【００３２】
したがって、スペーサー片本体１０とアダプター片１１の２ピース構成とすることにより、まず、スペーサー片本体１０のみを充電スタンド１のスペーサーとして（係合用の溝２０に嵌入して）使うことができる。次に、スペーサー片本体１０にアダプター片１１を取り付けてスペーサーとして使うことができる。さらに、そのアダプター片１１を１８０°回転させてスペーサー片本体１０に取り付けて使うことで、厚みの違う３種類のスペーサーとして使用できる。
【００３３】
なお、この形態では、凹部をスペーサー本体側に設け、嵌入部をアダプター片側に設けたものを示したが、凹部をアダプター片側に設け、嵌入部をスペーサー本体側に設けるようにしてもよい。同様に、突部と切欠及び突起と嵌入穴も逆に設けるようにしてもよい。
【００３４】
また、実施形態では、無線機用スタンドについて述べたが、これに限定されるものではなく、例えば、携帯電話など上記開口のある充電スタンドに適用できるものであることは明白である。
【００３５】
さらに、実施形態では、スペーサ片本体とアダプター片の２ピース構成としたが、アダプター片は単体である必要はなく、複数の部材で形成されるものであってもよい。
【００３６】
【発明の効果】
この発明は、上記のように構成したことにより、少ないスペーサー数で、多機種に対応することができるので、管理の手間を省くことができる。また、その際、添付するスペーサー数も少なくで済むので、無駄も省ける。
【図面の簡単な説明】
【図１】実施形態の斜視図
【図２】実施形態の分解斜視図
【図３】実施形態の作用説明図
【符号の説明】
１  充電スタンド
２  被充電機器
３  開口
４  充電端子
１０  スペーサー片本体
１１  アダプター片
１２  壁部
１３  凹部
１４  押圧部
１５  突起
１６  突部
２１  嵌入部
２２  圧接部
２３  嵌入穴
２６  切欠
【図１】
0003708822.tif 000002
【図２】
0003708822.tif 000003
【図３】
0003708822.tif 000004